(57)【要約】【課題】一度限りの使い捨てで使用することにより、ラミネート作業や分別作業を不要とする一方、コンテナの荷積みや荷下ろし時におけるコンテナの取り違えを防止し得るコンテナ用配送ラベルを提供する。【解決手段】コンテナに着脱可能に装着されるコンテナ用配送ラベル１にあって、ラベル基材２の表面に、複数の異なる配車番号から選定されて特定の配車番号を示す表示配車番号３と、複数の異なる配送先から選定されて特定の配送先を示す表示店名情報４と、複数の異なる背景図柄から選定された表示背景図柄（ＩＤ図柄５ａ，標章図柄５ｂ）とを、表示店名情報４毎に、又は表示背景図柄毎に、又は表示配車番号３毎に異なる色彩で印刷した。【選択図】図１
0003135454.tif 000002
【実用新案登録請求の範囲】
【請求項１】
配送物の運搬に用いるコンテナに着脱可能に装着されてコンテナの配送先と配車番号とを表示するコンテナ用配送ラベルにおいて、
ラベル基材の表面に、複数の異なる配車番号から選定されて特定の配車番号を示す表示配車番号と、複数の異なる配送先から選定されて特定の配送先を示す表示店名情報と、複数の異なる背景図柄から選定された表示背景図柄とが、表示店名情報毎に異なる色彩で印刷されていることを特徴とするコンテナ用配送ラベル。
【請求項２】
配送物の運搬に用いるコンテナに着脱可能に装着されてコンテナの配送先と配車番号とを表示するコンテナ用配送ラベルにおいて、
ラベル基材の表面に、複数の異なる配車番号から選定されて特定の配車番号を示す表示配車番号と、複数の異なる配送先から選定されて特定の配送先を示す表示店名情報と、複数の異なる背景図柄から選定された表示背景図柄とが、表示背景図柄毎に異なる色彩で印刷されていることを特徴とするコンテナ用配送ラベル。
【請求項３】
配送物の運搬に用いるコンテナに着脱可能に装着されてコンテナの配送先と配車番号とを表示するコンテナ用配送ラベルにおいて、
ラベル基材の表面に、複数の異なる配車番号から選定されて特定の配車番号を示す表示配車番号と、複数の異なる配送先から選定されて特定の配送先を示す表示店名情報と、複数の異なる背景図柄から選定された表示背景図柄とが、表示配車番号毎に異なる色彩で印刷されていることを特徴とするコンテナ用配送ラベル。
【請求項４】
表示背景図柄が、表示店名情報を白抜きとする無地図柄、ラインパターン図柄、特定の配送先に割り当てられた固有のＩＤ番号を表すＩＤ図柄、幾何模様からなるマーク図柄又はその一部、配送先が属するグループを示す標章図柄の、その何れか１つ又は２つ以上の図柄を組合せたものであることを特徴とする請求項１乃至請求項３の何れか１項に記載のコンテナ用配送ラベル。
【請求項５】
ＩＤ図柄のＩＤ番号が白抜きで表示されていることを特徴とする請求項４記載のコンテナ用配送ラベル。
【請求項６】
マーク図柄又はその一部、又は配送先が属するグループを示す標章図柄が、表示店名情報を白抜きとする無地図柄、又はラインパターン図柄によって白抜きで表示されていることを特徴とする請求項４記載のコンテナ用配送ラベル。
【考案の詳細な説明】
【技術分野】
【０００１】
本考案は、配送物を入れて運搬するコンテナの荷積みや荷下ろし時におけるコンテナの取り違えを防止し得るようにしたコンテナ用配送ラベルに関する。
【背景技術】
【０００２】
一般に、コンビニエンスストアの販売商品は、配送センターにおいて、配送物である販売商品が各コンビニエンスストア毎に仕分けされてコンテナに入れられた後、トラックに積み込まれて各コンビニエンスストアへ配送されている。
【０００３】
前記コンテナには、その配送先等を識別するための所要情報を記載したコンテナ用配送ラベルが装着されている。従来のコンテナ用配送ラベルａは、図１０に示すように、白地の紙からなるラベル基材ｂの表面に配送先を示す店名情報ｃと配車番号ｄとが黒色で記載されており、該コンテナ用配送ラベルａをコンテナの側壁面等に設けられた装着ポケットに着脱可能に装着することにより、コンテナの配送先及び配車番号を表示するようにしている。ここで、配車番号とは、配送物を配達する特定の区域へ割り振られたトラックを識別するための番号であり、トラックのドライバーは、担当する配車番号が表示されたコンテナを配送することとなる。
【０００４】
そして、コンテナの配送に際して、ドライバーは、担当区域の各コンビニエンスストアへ配送するコンテナを配車番号ｄによって見分けてトラックに積み込み、各コンビニエンスストアに到着すると、店名情報ｃによって配達すべきコンテナを見分けて荷下ろしを行っている。
【考案の開示】
【考案が解決しようとする課題】
【０００５】
従来のコンテナ用配送ラベルａは、上述したように、店名情報ｃと配車番号ｄとが白地のラベル基材ｂの表面に黒色で表示されているため、ドライバーがコンテナをトラックに積み込む際には、全て黒色で表示されている異なる複数の配車番号ｄの中から担当する配車番号ｄを数字の違いだけで見分けなければならず、コンテナの取り違えが起こり易いという問題点があった。一方、ドライバーがコンテナを荷下ろしする際には、全て黒色で表示されている異なる複数の店名情報ｃの中から荷下ろしすべきコンテナを店名情報ｃの文字の違いだけで見分けなければならず、例えば「豊田美里」と「豊田美山」のように外観的に紛らわしい店名情報ｃが混在している場合には、コンテナを取り違え易いという問題点があった。
【０００６】
又、従来のコンテナ用配送ラベルａにあって、透明樹脂シートでラミネートすることにより、耐久性を向上させて繰り返して使用し得るようにしたものも知られている。しかしながら、かかるコンテナ用配送ラベルａは、ラミネート作業に手間と費用が掛かる上、再使用に備えるために、使用後にコンテナから回収して分別し、店名情報ｃ毎に纏める煩雑な作業を必要とするものであった。
【０００７】
本考案は、一度限りの使い捨てで使用することにより、ラミネート作業や分別作業を不要とする一方、コンテナの荷積みや荷下ろし時におけるコンテナの取り違えを防止し得るコンテナ用配送ラベルを提供することを目的とするものである。
【課題を解決するための手段】
【０００８】
本考案は、配送物の運搬に用いるコンテナに着脱可能に装着されてコンテナの配送先と配車番号とを表示するコンテナ用配送ラベルにおいて、ラベル基材の表面に、複数の異なる配車番号から選定されて特定の配車番号を示す表示配車番号と、複数の異なる配送先から選定されて特定の配送先を示す表示店名情報と、複数の異なる背景図柄から選定された表示背景図柄とが、表示店名情報毎に、又は表示背景図柄毎に、又は表示配車番号毎に異なる色彩で印刷されていることを特徴とするコンテナ用配送ラベルである。
【０００９】
ここで、印刷に用いられる色彩は、目視によって容易に区別可能な相互に異なる色彩とすることが望ましい。この相互に異なる色彩は、有彩色のみならず無彩色を含むものであってもよい。又、ラベル基材には、四六判の原紙（JIS P0202）の連量で１３５Ｋｇ程度の厚さの白色の上質紙が好適に用いられ得る。かかる上質紙をラベル基材とすることにより、一回の使用に耐え得る充分な強度が得られ、安価であるため、使い捨てとすることができる。又、白色であるため、印刷する色彩が正確に反映され得る。
【００１０】
又、前記コンテナ用配送ラベルは、コンピュータにより制御されるプリンターによって印刷され得る。この印刷手段としては、予め定められた複数の異なる配送先から選定されて特定の配送先を示す表示店名情報と、予め定められた複数の異なる背景図柄から選定された表示背景図柄と、予め定められた複数の異なる配車番号から選定されて特定の配車番号を示す表示配車番号とを、これらの配置位置を予め定めたテンプレートに配置して、表示店名情報毎に、又は表示背景図柄毎に、又は表示配車番号毎に異なる色彩でラベル基材の表面に印刷する手段が適用され得る。
【００１１】
又、上記コンテナ用配送ラベルにあって、表示背景図柄が、表示店名情報を白抜きとする無地図柄、ラインパターン図柄、特定の配送先に割り当てられた固有のＩＤ番号を表すＩＤ図柄、幾何模様からなるマーク図柄又はその一部、配送先が属するグループを示す標章図柄の、その何れか１つ又は２つ以上の図柄を組合せたものである構成が提案される。
【００１２】
又、上記ＩＤ図柄のＩＤ番号が白抜きで表示されている構成が提案される。
【００１３】
さらに、マーク図柄又はその一部、又は配送先が属するグループを示す標章図柄が、表示店名情報を白抜きとする無地図柄、又はラインパターン図柄によって白抜きで表示されている構成が提案される。
【考案の効果】
【００１４】
本考案は、上述したように、ラベル基材の表面に、複数の異なる配車番号から選定されて特定の配車番号を示す表示配車番号と、複数の異なる配送先から選定されて特定の配送先を示す表示店名情報と、複数の異なる背景図柄から選定された表示背景図柄とが、表示店名情報毎に、又は表示背景図柄毎に、又は表示配車番号毎に異なる色彩で印刷されているコンテナ用配送ラベルであるから、色彩の違いにより、各コンテナ用配送ラベルを目視により容易に識別することが可能となる。そして、表示配車番号毎に異なる色彩とした場合には、該表示配車番号の色彩の相違によって、コンテナを容易に見分けることが可能となり、ドライバーがコンテナをトラックに積み込む際にコンテナの取り違えを防止することができる。一方、表示店名情報毎に、又は表示背景図柄毎に異なる色彩とした場合には、表示店名情報又は表示背景図柄の色彩の相違によって、コンテナを容易に見分けることが可能となり、コンテナの荷下ろし時に、荷下ろしすべきコンテナの取り違えを防止することができる。
【００１５】
又、上記コンテナ用配送ラベルにあって、表示背景図柄が、表示店名情報を白抜きとする無地図柄、ラインパターン図柄、特定の配送先に割り当てられた固有のＩＤ番号を表すＩＤ図柄、幾何模様からなるマーク図柄又はその一部、配送先が属するグループを示す標章図柄の、その何れか１つ又は２つ以上の図柄を組合せたものとする構成にあっては、表示背景図柄のバリエーションが多様化され、該表示背景図柄が同じ色彩であっても、そのバリエーションの相違によって、コンテナを容易に見分けることが可能となり、コンテナの荷下ろし時における取り違えを防止することができる。又、このように表示背景図柄のバリエーションが多様化されることにより、何百種類もの異なるコンテナ用配送ラベルの形成が可能となる。
【００１６】
又、上記ＩＤ図柄のＩＤ番号が白抜きで表示されている構成にあっては、表示背景図柄のバリエーションをさらに多様化することができる。
【００１７】
又、マーク図柄又はその一部、又は配送先が属するグループを示す標章図柄が、表示店名情報を白抜きとする無地図柄、又はラインパターン図柄によって白抜きで表示されている構成にあっても、表示背景図柄のバリエーションをさらに多様化することができる。
【考案を実施するための最良の形態】
【００１８】
以下に、本考案の第一実施例を、図１，図２に基づいて説明する。
この第一実施例にかかるコンテナ用配送ラベル１は、横長矩形状のラベル基材２の表面に、表示配車番号３と、表示店名情報４と、表示背景図柄としてのＩＤ図柄５ａと、同じく表示背景図柄としての標章図柄５ｂとが、表示店名情報４毎に異なる色彩で印刷されている。印刷に用いられる色彩は、例えば、オレンジ、赤、ピンク、紫、紺、青、ブルーグリーン、緑、黄緑、茶、グレー等のように、各コンテナ用配送ラベル１間で目視によって即座かつ容易に区別可能な相互に異なる色彩となっている。
【００１９】
ラベル基材２の材質は、四六判の原紙（JIS P0202）の連量で１３５Ｋｇ程度の厚さの白色の上質紙が用いられている。このラベル基材２の大きさは特に限定されないが、コンテナ（図示省略）の側壁面等に設けられた装着ポケットに着脱可能に装着し得る大きさとなっている。
【００２０】
ここで、表示店名情報４は、複数の異なる配送先から選定されて特定の配送先を示すものであり、例えば、「豊田美山」、「豊田美里」、「豊田御立」等のコンビニエンスストアの店名を表す文字からなる。表示背景図柄は複数の異なる背景図柄から選定される。この表示背景図柄を構成するＩＤ図柄５ａは、特定の配送先に割り当てられた固有のＩＤ番号を表すものであり、「１」、「２」等のＩＤ番号６と、該ＩＤ番号６を囲繞する矩形枠７とからなり、この実施例では、ＩＤ番号６が白抜きで表示されている。又、同じく表示背景図柄を構成する標章図柄５ｂは、配送先が属するグループ、即ち各コンビニエンスストアのフランチャイズチェーンの標章を示すものである。尚、この標章図柄５ｂが、図２に示すように、他の表示配車番号３や表示店名情報４と重なる場合には、同系色の色彩で淡色とすることが望ましい。表示配車番号３は、複数の異なる配車番号から選定されて特定の配車番号を示すものであり、この実施例では、各コンテナ用配送ラベル１間で同じ表示配車番号３が記載されている。従って、この同じ表示配車番号３の各コンテナ用配送ラベル１が装着された複数のコンテナは、特定の配達区域へ割り振られたトラックに一緒に積み込まれて、配送されることとなる。
【００２１】
かかる構成にあって、ラベル基材２の表面に、表示配車番号３と、表示店名情報４と、表示背景図柄としてのＩＤ図柄５ａと、同じく表示背景図柄としての標章図柄５ｂとが、表示店名情報４毎に異なる色彩で印刷されていることにより、コンテナの荷下ろし時に、表示店名情報４の色彩の相違によって、コンテナを容易に見分けることが可能となり、荷下ろしすべきコンテナの取り違えを防止することができる。
【００２２】
図３，図４は、第二実施例にかかるコンテナ用配送ラベル１を示し、横長矩形状のラベル基材２の表面に、表示配車番号３と、表示店名情報４と、表示背景図柄としてのＩＤ図柄５ａと、同じく表示背景図柄としての標章図柄５ｂとが、表示店名情報４毎に異なる色彩の無地図柄５ｃで印刷されている。
【００２３】
ここで、無地図柄５ｃは表示背景図柄の一形態を構成し、表示店名情報４を白抜きとするものであり、該無地図柄５ｃによって表示配車番号３と標章図柄５ｂも白抜きで表示されている。尚、標章図柄５ｂが、図４に示すように、他の表示配車番号３や表示店名情報４と重なる場合には、白抜きとせず、無地図柄５ｃと同系色の色彩で淡色とすることが望ましい。又、この実施例では、ＩＤ図柄５ａのＩＤ番号６を無地図柄５ｃと同じ色彩とし、矩形枠７を白抜きとしている。
【００２４】
かかる構成にあって、ラベル基材２の表面に、表示配車番号３と、表示店名情報４と、表示背景図柄としてのＩＤ図柄５ａと、同じく表示背景図柄としての標章図柄５ｂとが、表示店名情報４毎に異なる色彩の無地図柄５ｃで印刷されていることにより、コンテナの荷下ろし時に、無地図柄５ｃの色彩の相違によって、コンテナを容易に見分けることが可能となり、荷下ろしすべきコンテナの取り違えを防止することができる。
【００２５】
図５，図６は、第三実施例にかかるコンテナ用配送ラベル１を示し、横長矩形状のラベル基材２の表面に、表示配車番号３と、表示店名情報４と、表示背景図柄としてのＩＤ図柄５ａと、同じく表示背景図柄としての標章図柄５ｂとが、表示店名情報４毎に異なるラインパターン図柄５ｄで印刷されている。
【００２６】
ここで、ラインパターン図柄５ｄは表示背景図柄の一形態を構成するものであって、図案化された各種形態の線模様からなり、該ラインパターン図柄５ｄの彩色部分と重なる表示店名情報４、表示配車番号３、標章図柄５ｂが白抜きで表示される。尚、標章図柄５ｂが、図６に示すように、他の表示配車番号３や表示店名情報４と重なる場合には、白抜きとせず、ラインパターン図柄５ｄの彩色部分と同系色の淡色とすることが望ましい。
【００２７】
かかる構成にあって、ラベル基材２の表面に、表示配車番号３と、表示店名情報４と、表示背景図柄としてのＩＤ図柄５ａと、同じく表示背景図柄としての標章図柄５ｂとが、表示店名情報４毎に異なるラインパターン図柄５ｄで印刷されていることにより、コンテナの荷下ろし時に、ラインパターン図柄５ｄの相違によって、コンテナを容易に見分けることが可能となり、荷下ろしすべきコンテナの取り違えを防止することができる。
【００２８】
図７，図８は、第四実施例にかかるコンテナ用配送ラベル１を示し、横長矩形状のラベル基材２の表面に、表示配車番号３と、表示店名情報４と、表示背景図柄としてのＩＤ図柄５ａと、同じく表示背景図柄としての標章図柄５ｂと、同じく表示背景図柄としてのマーク図柄５ｅとが、該マーク図柄５ｅ毎に異なる色彩で印刷されている。
【００２９】
ここで、マーク図柄５ｅは、図９に示すように、各種の幾何模様からなり、その全体又はその一部がラベル基材２の表面上で表示位置及び大きさを相互に変えて印刷されている。
【００３０】
かかる構成にあって、ラベル基材２の表面に、表示配車番号３と、表示店名情報４と、表示背景図柄としてのＩＤ図柄５ａと、同じく表示背景図柄としての標章図柄５ｂと、同じく表示背景図柄としてのマーク図柄５ｅとが、該マーク図柄５ｅ毎に異なる色彩で印刷されていることにより、コンテナの荷下ろし時に、マーク図柄５ｅの相違によって、コンテナを容易に見分けることが可能となり、荷下ろしすべきコンテナの取り違えを防止することができる。
【００３１】
又、図７，図８に示すように、マーク図柄５ｅを備えたコンテナ用配送ラベル１にあって、横長矩形状のラベル基材２の表面に、表示配車番号３と、表示店名情報４と、表示背景図柄としてのＩＤ図柄５ａと、同じく表示背景図柄としての標章図柄５ｂと、同じく表示背景図柄としてのマーク図柄５ｅとを、表示配車番号３毎に異なる色彩で印刷するようにしてもよい。かかる構成にあっては、表示配車番号３の色彩の相違によって、コンテナを容易に見分けることが可能となり、ドライバーがコンテナをトラックに積み込む際にコンテナの取り違えを防止することができる。又、コンテナの荷下ろし時には、マーク図柄５ｅの相違によって、コンテナを容易に見分けることが可能であり、荷下ろしすべきコンテナの取り違えを防止することができる。
【００３２】
尚、前記第四実施例にかかるコンテナ用配送ラベル１の構成において、上述した第二実施例のように、無地図柄５ｃ（図３，図４参照）によって、表示配車番号３と、表示店名情報４と、標章図柄５ｂと、マーク図柄５ｅとを白抜きで表示してもよい。この場合、マーク図柄５ｅ毎に異なる色彩の無地図柄５ｃで印刷することにより、コンテナの荷下ろし時に、マーク図柄５ｅの相違によって、コンテナを容易に見分けることが可能となり、荷下ろしすべきコンテナの取り違えを防止することができる。又、表示配車番号３毎に異なる色彩の無地図柄５ｃで印刷することにより、無地図柄５ｃの色彩の相違によって、コンテナを容易に見分けることが可能となり、コンテナの荷積み時におけるコンテナの取り違えを防止することができる。
【００３３】
又、本考案は、上述した各実施例に限定されるものではなく、本考案の要旨の範囲内で種々の変更が可能である。
【図面の簡単な説明】
【００３４】
【図１】第一実施例にかかるコンテナ用配送ラベル１の印刷形態を示す表面図である。
【図２】同上の実施例の他の印刷形態を示す表面図である。
【図３】第二実施例にかかるコンテナ用配送ラベル１の印刷形態を示す表面図である。
【図４】同上の実施例の他の印刷形態を示す表面図である。
【図５】第三実施例にかかるコンテナ用配送ラベル１の印刷形態を示す表面図である。
【図６】同上の実施例の他の印刷形態を示す表面図である。
【図７】第四実施例にかかるコンテナ用配送ラベル１の印刷形態を示す表面図である。
【図８】同上の実施例の他の印刷形態を示す表面図である。
【図９】種々のマーク図柄５ｅの形態を示す説明図である。
【図１０】従来構成のコンテナ用配送ラベルの表面図である。
【符号の説明】
【００３５】
１  コンテナ用配送ラベル
２  ラベル基材
３  表示配車番号
４  表示店名情報
５ａ  ＩＤ図柄（表示背景図柄）
５ｂ  標章図柄（表示背景図柄）
５ｃ  無地図柄（表示背景図柄）
５ｄ  ラインパターン図柄（表示背景図柄）
５ｅ  マーク図柄（表示背景図柄）
６  ＩＤ番号
【図１】
0003135454.tif 000003
【図２】
0003135454.tif 000004
【図３】
0003135454.tif 000005
【図４】
0003135454.tif 000006
【図５】
0003135454.tif 000007
【図６】
0003135454.tif 000008
【図７】
0003135454.tif 000009
【図８】
0003135454.tif 000010
【図９】
0003135454.tif 000011
【図１０】
0003135454.tif 000012